(57)【要約】【課題】  人的作業に伴うものではなく、無縫製で形成するチェーン状編地およびその編成方法を示すこと。【解決手段】  少なくとも前後一対の針床を有し、前後針床が相対的にラッキング可能に構成された横編機を用いて、少なくとも二つの編幅方向に開口するリング状編地３，４を形成する。編成の際に、一つのリング状編地の前後いずれか一方の編地を他の組の前編地と後編地の間を通して交差させる。対となる前編地５，１５と後編地６，１６をそれぞれ最終の編目列で伏目処理し、無縫製でチェーン状編地１０を形成する。【選択図】  図１
2008179929.tif 000002
【特許請求の範囲】
【請求項１】
少なくとも前後一対の針床を有する横編機を用いて無縫製でそれぞれ環状に編成される複数のリング状編地を有し、
各リング状編地は、他の少なくとも一つのリング状編地と相互に交差していることを特徴とする無縫製チェーン状編地。
【請求項２】
前記リング状編地は、チューブ状編地が軸線方向でも環状となるように編成されていることを特徴とする請求項１記載の無縫製チェーン状編地。
【請求項３】
前記リング状編地は、編幅方向に開口することを特徴とする請求項１または２記載の無縫製チェーン状編地。
【請求項４】
少なくとも前後一対の針床を有し、前後の針床が相対的にラッキング可能に構成された横編機を用いて、少なくとも二つのリング状編地をそれぞれ編成するに際し、隣接するリング状編地同士を、相互に交差させて無縫製のチェーン状編地を編成する方法であって、
各リング状編地は、
（１）リング状編地としての編み出し編成を行うステップ、
（２）編み出し編成に続けて、少なくとも前後のうちの一方の針床で編地を編成するステップ、
（３）前後の針床での編成後に各針床で係止する編地を接合してリング状編地を形成するステップ、
を含んでそれぞれ編成され、
隣接するリング状編地同士の交差は、いずれのリング状編地も（２）のステップまで編成されている状態でのラッキングを含む編目の移動で、一つのリング状編地の前後いずれか一方の針床で係止する編地を、他のリング状編地の前針床で係止する編地と後針床で係止する編地の間に挿通させて行うことを特徴とする無縫製チェーン状編地の編成方法。
【請求項５】
前記（２）のステップでは、前記編出しに続けてウエール方向の両側にそれぞれ編地を編成し、
前記（３）のステップでは、編出しの両側に形成される編地の終端の編目同士を接合することを特徴とする請求項４記載の無縫製チェーン状編地の編成方法。
【請求項６】
前記（２）のステップでは、前記編出し編成の編目を残して、ウエール方向の片側で編地を編成し、
前記（３）のステップでは、編出しの片側に形成される編地の終端の編目を、残している編み出し編成の編目に接合することを特徴とする請求項４記載の無縫製チェーン状編地の編成方法。
【請求項７】
前記ウエール方向の片側では、前記前後の針床でチューブ状に編地を編成することを特徴とする請求項６記載の無縫製チェーン状編地の編成方法。
【発明の詳細な説明】
【技術分野】
【０００１】
本発明は、横編機で無縫製のリング状編地を相互に交差させてチェーン状に形成することが可能な新しい無縫製チェーン状編地およびその編成方法に関する。
【背景技術】
【０００２】
従来から横編機で編成する編地をチェーン状に形成する場合、編地を編成後に、後工程でチェーン状に繋げている。すなわち、従来は平編みなどで編成した複数の編地を、互いに交差させながら、個々の編地の一端と他端の編目を縫製やリンキング、手編みにて接合してリング状の編地を形成する後工程が必要である。
【０００３】
横編機でも、前後の針床に編糸を周回させて直接リング状の編地を編成することはできる。また、衣類の衿や前立て等の付属編地について、筒状に編成し、かつ編み終り部を折返しておき、ミシンがけで主たる編地に接合する作業を容易にする技術も開示されている（たとえば、特許文献１参照。）。なお、丸編機では、無縫製で筒状の編地が編成される。
【０００４】
丸編地で、編み始めコースまたはその付近のコースに編み終りコースを編み付け、二重筒状の編地とする技術も開示されている（たとえば、特許文献２参照。）。
【特許文献１】特公平７−７８３０２号公報
【特許文献２】実開平１−１４７２８９号公報
【発明の開示】
【発明が解決しようとする課題】
【０００５】
従来の方法では、編地をリング状に形成したり、リング状の編地を相互に交差させてチェーン状編地を形成するために、後工程の時間や人手が必要となる。さらに、そのような後工程には手作業が伴うため、熟練度の違いにより仕上がりがバラツクといった問題も発生することがあった。
【０００６】
本発明は、これらの問題を解決すべく、横編機を用いて無縫製で編地をチェーン状に形成する無縫製チェーン状編地およびその編成方法を提供することを目的とする。
【課題を解決するための手段】
【０００７】
本発明は、少なくとも前後一対の針床を有する横編機を用いて無縫製でそれぞれ環状に編成される複数のリング状編地を有し、
各リング状編地は、他の少なくとも一つのリング状編地と相互に交差していることを特徴とする無縫製チェーン状編地である。
【０００８】
また本発明で、前記リング状編地は、チューブ状編地が軸線方向でも環状となるように編成されていることを特徴とする。
【０００９】
また本発明で、前記リング状編地は、編幅方向に開口することを特徴とする。
【００１０】
さらに本発明は、少なくとも前後一対の針床を有し、前後の針床が相対的にラッキング可能に構成された横編機を用いて、少なくとも二つのリング状編地をそれぞれ編成するに際し、隣接するリング状編地同士を、相互に交差させて無縫製のチェーン状編地を編成する方法であって、
各リング状編地は、
（１）リング状編地としての編み出し編成を行うステップ、
（２）編み出し編成に続けて、少なくとも前後のうちの一方の針床で編地を編成するステップ、
（３）前後の針床での編成後に各針床で係止する編地を接合してリング状編地を形成するステップ、
を含んでそれぞれ編成され、
隣接するリング状編地同士の交差は、いずれのリング状編地も（２）のステップまで編成されている状態でのラッキングを含む編目の移動で、一つのリング状編地の前後いずれか一方の針床で係止する編地を、他のリング状編地の前針床で係止する編地と後針床で係止する編地の間に挿通させて行うことを特徴とする無縫製チェーン状編地の編成方法である。
【００１１】
また本発明の前記（２）のステップでは、前記編出しに続けてウエール方向の両側にそれぞれ編地を編成し、
前記（３）のステップでは、編出しの両側に形成される編地の終端の編目同士を接合することを特徴とする。
【００１２】
また本発明の前記（２）のステップでは、前記編出し編成の編目を残して、ウエール方向の片側で編地を編成し、
前記（３）のステップでは、編出しの片側に形成される編地の終端の編目を、残している編み出し編成の編目に接合することを特徴とする。
【００１３】
また本発明の前記ウエール方向の片側では、前記前後の針床でチューブ状に編地を編成することを特徴とする。
【発明の効果】
【００１４】
本発明によれば、横編機を用いて無縫製でそれぞれ環状に編成される複数のリング状編地は、相互に交差させてチェーン状に繋がった状態で形成される。後工程で編地をリング状に形成したり、リング状の編地を相互に交差させてチェーン状編地を形成する必要はなく、時間や人手を不要にすることができる。
【００１５】
また本発明によれば、チューブ状編地でリング状編地を形成し、チェーン状に繋げることができる。
【００１６】
また本発明によれば、各リング状編地は、編幅方向に開口するので、リングの周方向の長さをコース数で調整することができる。
【００１７】
さらに本発明の編成方法によれば、横編機を用いて、従来にはない無縫製のチェーン状編地を編成することが可能となり、手作業による縫製等の後工程を削減することができる。
【００１８】
また本発明によれば、編み出し編成に続けてウエール方向の両側で終端までそれぞれ編地を編成するので、前後の針床を使用して、編出し編成の部分を歯口から引下げながら編地の編成を続けることができる。前後の針床で編成する編糸を異ならせ、色などを異ならせることもできる。
【００１９】
また本発明によれば、編み出し編成に続いてウエール方向の片側で編地を編成し、編成された編地の終端の編目を、残しておいた編み出し編成の編目に接合するので、一カ所の継目で、リング状編地を形成することができる。
【００２０】
また本発明によれば、ウエール方向の片側にチューブ状に編地を編成してリング状編地を形成しながら、チェーン状に繋げることができる。
【発明を実施するための最良の形態】
【００２１】
以下に本発明の好適な実施例について、図面とともに説明する。なお、実施例では、編針を列設した少なくとも前後一対の針床を有し、前後針床が相対的にラッキング可能に構成された横編機を用いるものとする。図１および図３では、横編機の前後針床間の歯口で編成される編地の状態を示す。ただし、実際に歯口で編成される状態の編地では、少なくとも編み出し部分の最初と、編み終わり部分の最後とに、編糸が連なっているけれども、図示を省略する。
【００２２】
また、本明細書では、前編地は、図１および図３において各リング状編地での前側に現れる編地を、後編地は、後側に現れる編地としてそれぞれ定義する。本実施例ではリング状編地の前編地は前針床、後編地は後針床の編針を使用して編成される例を示すが、前針床で編成したものが前編地で、後針床で編成したものが後編地ということではない。
【００２３】
図１は、本発明の第一実施例によって編まれたチェーン状編地の概略的な構成を示す。編み出し部分１と伏目部分２とを有する第一リング状編地３に、第二リング状編地４を交差させて、チェーン状編地１０が形成される。第二リング状編地４は、編み出し部分１１と伏目部分１２との間に、前編地１５と後編地１６とが形成される。編み出し部分１に続く前編地５と後編地６とが、伏目部分２にて接合して第一リング状編地３が形成され、その開口部の中を、同様に形成された第二リング状編地４の前編地１５が挿通して交差が行われる。
【００２４】
図２は、第一実施例についての編成工程の概要を示す。図２の編成工程図および後記する図４、図７、および図８〜１０の編成工程図等において、左端の数字は、相対的なコース番号を、アルファベットのＦは前針床、Ｂは後針床を、左右方向の矢印はキャリッジの進行方向を、上下方向の矢印は目移し方向を示す。
【００２５】
図２、図４、図８〜図１０で、右端に示すＬ０Ｐなどの表記は後針床のラッキング位置を示し、Ｌは左方向、Ｒは右方向、数字Ｐは針本数を示している。黒色の点は空針を示し、黒丸を前編地５、白丸を後編地６とした第一リング状編地３と、黒三角を前編地１５、白三角を後編地１６とした第二リング状編地４として示す。図示はしていないが、図２および図４で、給糸口は１つのリング状編地の編成に２個使用し、第一リング状編地３については、編み出し部分１と前編地５は、同一の給糸口からの給糸により編成し、後編地６は他の給糸口からの給糸により編成する。他のリング状編地の編成についても、同様にそれぞれ２個の給糸口を使用する。なお、本実施例では各給糸口を以下、第一給糸口、第二給糸口、第三給糸口、第四給糸口、第五給糸口、第六給糸口、として説明に用いる。全部の給糸口から同一種の編糸を給糸すれば、すべてのリング状編地を同一の編糸で編成しているように見える。給糸口から給糸する編糸を異ならせて、リング状編地毎、またはリング状編地の半分毎に、色を変えるなどの変化を与えることもできる。図中の編目を囲む四角形の枠は、伏目処理を行うことを示す。伏目を行うコースについては、キャリッジの動きが複数回必要となるため、上記左右方向の矢印は省略する。
【００２６】
なお、以下の説明では説明の便宜上、実際の編成で使用される編針数に比べて極小数の編針のみを使用し、１本おきの編針を使う針抜き編成としている。前針床で前編地を編成する際、前針床において編目が係止されている編針と対向する後針床の針は空針となり、この空針は、また、後針床で後編地を編成する際には、後針床において編目が係止されている編針と対向する前針床の編針は空針となるので、前後の編地はそれぞれ対向する針床に目移し可能となり、または裏目編成用の空針を常に確保することができる。また、各編針を区別する場合、前針床Ｆの編針の位置には、Ａ〜Ｚ、ＡＡ〜ＧＧなどのように大文字の符号を付け、後針床Ｂの編針の位置には、ａ〜ｚ、ａａ〜ｇｇなどのように小文字の符号を付けて、それぞれ示す。ただし、各針床で編針が存在する範囲は、符号を付けた範囲外にも広がっているものとする。さらに、符号は、各図のうち、一番上のコースにのみ記載する。
【００２７】
図２のコース１では、第一給糸口から編針ｊ、Ｋ、ｌ、Ｍ、ｎ、Ｏに対して給糸し、また、第三給糸口から編針ｒ、Ｓ、ｔ、Ｕ、ｖ、Ｗに対して給糸して、編み出し部分１と編み出し部分１１で編み出し編成を行う。すなわち、編み出し部分１，１１は、前後の針床にジグザグ状に編糸を掛けて編成される。
【００２８】
コース２では、第一給糸口から編針Ｋ、Ｍ、Ｏへ給糸し、第二給糸口から編針ｊ、ｌ、ｎへ給糸して、それぞれ第一リング状編地３の前編地５と後編地６を編成する。また、第三給糸口から編針Ｓ、Ｕ、Ｗへ給糸し、第四給糸口から編針ｒ、ｔ、ｖへ給糸して第二リング状編地４の前編地１５と後編地１６を編成する。編み出し部分１，１１は、横編機に備えられる編み出し機構などで、歯口から引き下げられる。各編地が、所望の長さになるまでコース２の編成を左右方向に繰り返し行い、リングの大きさを調整する。
【００２９】
コース３では、第二リング状編地４の後編地１６が第一リング状編地３の前編地５と後編地６の間を挿通する位置へと目移しを利用し移動する。この場合、後針床を基準位置から左に１４針ラッキングした位置で目移しを行う。なお、横編機によっては、１４針のような比較的大きい針数分のラッキングが不可能な場合もあり得る。またラッキングは可能でも、編成する編地の編幅が大きく、針床にラッキングと目移しとで、編地を相対的に移動させる余地がない場合もあり得る。このような場合は、より少ない針数分のラッキングを繰り返して行えばよい。
【００３０】
コース４では、上記コース３にて移動した状態から、後針床を基準位置までラッキングした状態で、第一リング状編地３の前編地５と後編地６を接合する。接合は、公知の伏目方法で行う。
【００３１】
コース５では、コース４にて接合した第一リング状編地３に対して、リングの開口部を通過している第二リング状編地４の後編地１６を、前編地１５と接合するために、左に１４針ラッキングし、後針床の編針へ目移しする。コース６では、第二リング状編地４の前編地１５と後編地１６を接合し、編幅方向に開口する二つのリング状編地３、４をチェーン状に無縫製に形成することが完了する。
【００３２】
また、上記第一実施例では、二つのリング状編地をチェーン状に形成する方法を示したが、コース５とコース６で、前編地１５と後編地１６を伏目して接合する前に、新しいリング状編地を形成し、コース３からコース６の同じ工程を経た後接合を行うようにしてもよい。同様の繰り返しを行うことで、リングの数を増やしたチェーン状編地が形成される。
【００３３】
図３および図４は、第二実施例によって編まれたチェーン状編地２０の概略的な構成およびその編成工程の概要をそれぞれ示す。第一実施例では一つのリングと一つのリングを交差させて二つのリング状編地をチェーン状に形成する方法を示したが、第二実施例では二つのリングと一つのリングを交差することで三つのリング状編地をチェーン状に形成する方法を示す。また、図４において、各リング状編地の編成には、第一実施例と同様に２個の給糸口を用いるものとする。
【００３４】
図４のコース１では、第一実施例と同じように図示されない第一給糸口から編針ｂ、Ｃ、ｄ、Ｅ、ｆ、Ｇに対して給糸し、また、第三給糸口から編針ｊ、Ｋ、ｌ、Ｍ、ｎ、Ｏに対して給糸し、第五給糸口から編針r、Ｓ、ｔ、Ｕ、ｖ、Ｗに対しそれぞれ編成糸を給糸して、三箇所で編み出し編成を行う。以下、第三リング状編地７の前編地２５を黒四角、後編地２６を白四角をとして表現する。
【００３５】
コース２では、第一給糸口から編針Ｃ、Ｅ、Ｇへ給糸し、第二給糸口から編針ｂ、ｄ、ｆへ給糸して、それぞれ第一リング状編地３の前編地５と後編地６を編成する。また、第三給糸口から編針Ｋ、Ｍ、Ｏへ給糸し、第四給糸口から編針ｊ、ｌ、ｎへ給糸して、それぞれ第二リング状編地４の前編地１５と後編地１６を編成する。また、第五給糸口から編針Ｓ、Ｕ、Ｗへ給糸し、第六給糸口から編針ｒ、ｔ、ｖへ給糸してそれぞれ第三リング状編地７の前編地２５と後編地２６を編成する。編み出し部分１，１１，２１は、横編機に備えられる編み出し機構などで、歯口から引き下げられる。各編地が、所望の長さになるまでコース２の編成を繰り返し行い、リングの大きさを調整する。
【００３６】
コース３では、ラッキングの基準となる相対する前後の針床が揃っているＬ０Ｐの位置で、前針床で編目を係止する編針（Ｃ、Ｅ、Ｇ、Ｋ、Ｍ、Ｏ、Ｓ、Ｕ、Ｗ）の編目を後針床で編目を係止していない編針（ｃ、ｅ、ｇ、ｋ、ｍ、ｏ、ｓ、ｕ、ｗ）に目移しを行う。編機の制限により一度にラッキング処理ができない場合、コース４〜７で示すように、対向する針床へ一時的に編目を預けて、少ないラッキング量の回数を重ねて対処することもでき、編幅が広い編地にも行える。
【００３７】
コース４では、コース３で後針床に編目を預けた状態から後針床を右方向に６針ラッキングし、預けておいた編目を前針床に戻す。コース５では、さらにコース４の最終の位置から左方向に１２針後針床をラッキングし、前針床の編目を再度目移しする。続いて、コース５の最終の位置から右方向に６針ラッキングし、コース６で後針床に目移しした前編地の編目を前針床に戻す。
【００３８】
コース７では、第一実施例のコース３と同様の編成を行うが、ここでは第三リング状編地７の後編地２６をコース６の位置から左方向に１０針ラッキングし、後編地２６を前針床に目移しし、第一リング状編地３と第２リング状編地４のそれぞれの前後編地間を通過させる。
【００３９】
コース８では、上記コース７にて移動した状態から、後針床を右方向に２２針ラッキングし、第一リング状編地３と第二リング状編地４の各前編地と後編地を公知の伏目の方法で接合する。
【００４０】
コース９では、第三リング状編地７の前編地２５と後編地２６を接合できる位置に移動する準備として、後編地２６を後針床へ目移しする。
【００４１】
コース１０では、第三リング状編地７の前編地２５と後編地２６を伏目で接合し、編幅方向に開口する３つのリング状編地を無縫製によりチェーン状に形成することを完了する。
【００４２】
図５、図６、図７および図８〜図１０は、第三実施例によって編まれたチェーン状編地３０の概略的な構成、チェーン状編地を構成する一つのリング状編地の概略的な構成、およびその編成工程の概要をそれぞれ示す。第三実施例は、複数のリング状編地４０，５０，６０を、それぞれチューブ状に順次編成しながら、無縫製でチェーン状に連結する方法を示す。
【００４３】
図５に示すチェーン状編地３０は、第一のリング状編地４０に、第二のリング状編地５０が交差して連なる。さらに第二のリング状編地５０には、第三のリング状編地６０が交差して連なる。第三のリング状編地６０には、第四のリング状編地７０が交差して連なる。ただし、チェーン状編地３０のうちの三つのリング状編地４０，５０，６０の連鎖状態は、図３に示す状態のチェーン状編地２０のリング状編地３，４，７と、実質的に同様である。編成直後には三つのリング状編地の配置が異なっているけれども、リング状編地の位置を変えれば、実質的に同一の配置にすることができる。
【００４４】
図６は、（ａ）で図５のチェーン状編地３０を構成する第一のリング状編地４０の概略的な構成を示し、（ｂ）で第一のリング状編地４０を形成する途中の状態を示す。第二のリング状編地５０、第三のリング状編地６０および第四のリング状編地７０も同様の構成を有する。
【００４５】
図６（ａ）に示すように、第一のリング状編地４０では、編み出し部分４１からウエール方向の一方４２に筒状編地４３が形成され、終端が編み出し部分４１と接合するための伏目部分４４となる。すなわち、筒状編地４３は周方向に環状となるばかりではなく、チューブ状編地としての軸線方向も環状となってリング状編地４０を形成する。リング状編地４０が開口する方向は、筒状編地としての編幅の方向に平行である。
【００４６】
なお、（ａ）で示すような外観は、編幅が比較的小さい状態を示す。編幅が大きくなると、チューブ状に編成しても、帯状につぶれてしまい、図１および図３に示すようなリング状編地３，４，７と同等の外観となる。ただし、帯状の形状は、表裏二枚の編地で形成される。単一の平編地では表目と裏目とで異なる編地の影響がでて編地がコース方向に丸くなりやすいけれども、チューブ状の編地をつぶして形成される帯状の編地では、編地の表裏の影響が相殺されて、平坦な形状を保ちやすくなる。また、編み出し部分４１と終端とを接合する伏目部分４４は一箇所に形成されるのみであるので、強度も向上させることができる。なお、このように、編み出し部分からウエール方向の片側に編地を編成して、終端で編み出し部分に接合してリング状に編地を形成する方法は、単一の帯状編地にも適用することができる。また、チェーン状編地は、単一の帯状編地によるリング状編地と、チューブ状編地によるリング状編地とを連結して形成することもできる。
【００４７】
図６（ｂ）に示すように、第一のリング状編地４０を形成するための筒状編地４３は、編み出し部分４１に続き、ウエール方向の片側４２で編成する。編み出し部分４１は、後述するように掛け目として編針に係止しておき、筒状編地４３の終端の編目を、編み出し部分４１の掛け目に接合する。筒状編地４３の編成は、たとえば前針床を使用して内側の編地を編成し、後針床を使用して外側の編地を編成する。内側の編地と外側の編地とは、一つの給糸口から編糸を供給する周回編成で筒状に編成することができる。この間、編み出し部分４１の掛け目は、たとえば、前針床で内側の編地の編成に使用しない編針に係止しておく。
【００４８】
図７は、第一のリング状編地４０を無縫製でリング状に形成する概略的な編成手順を示す。図７では、編針を升目で示し、升目の中の図形で編目の状態を示す。「Ｖ」は、掛け目を示す。白抜きのＶ字は、第一のリング状編地を形成するチューブ状編地のうちで外側となる編地に連なる掛け目を示す。白抜きでないＶ字は、チューブ状編地のうちで内側となる編地に連なる掛け目を示す。丸印は、編目を示す。丸印内に細い斜線を施してある編目は、外側の編地として編成するものを示す。丸印内に太い斜線を施してある編目は、内側として編成するものを示す。給糸して掛け目または編目を形成する状態は、太い線で示す。上下の矢印は、目移しを示す。
【００４９】
コースｒ１では、給糸口から前後の編針Ａ、ｂ、Ｅ、ｆ、Ｉ、ｊにジグザグ状に編糸を給糸する。コースｒ２では、給糸口から前後の編針Ｃ、ｄ、Ｇ、ｈ、Ｋ、ｌにジグザグ状に編糸を給糸する。コースｒ１およびコースｒ２では、同一の給糸口を使用し、以下の編成でも同一の給糸口を使用する。コースｒ３では、後針床の編針ｄ、ｈ、ｌに係止している掛け目を、前針床の編針Ｄ、Ｈ、Ｌに目移しする。
【００５０】
コースｒ４では、後針床の編針ｂ、ｆ、ｊに編目を形成し、これらの編針ｂ、ｆ、ｊにコースｒ１で形成した掛け目はノックオーバさせる。ノックオーバされた掛け目と同時にコースｒ１で形成された掛け目４５ｏは、前針床の編針Ａ、Ｅ、Ｉに残る。コースｒ５では、前針床の編針Ｄ、Ｈ、Ｌに編目を形成し、これらの編針Ｄ、Ｈ、Ｌに、コースｒ２で後針床の編針ｄ、ｈ、ｌに形成してからコースｒ３で編針ｄ、ｈ、ｌから目移しした掛け目は、ノックオーバさせる。ノックオーバされた掛け目と同時にコースｒ２で形成された掛け目４５ｉは、前針床の編針Ｃ、Ｇ、Ｋに残る。コースｒ４とコースｒ５とによる周回編成を繰り返し、筒状編地４３をチューブ状に形成する。ただし、編み出し部分４１の掛け目４５ｏ、４５ｉが前針床に係止された状態であるので、歯口から編み出し機構などで引き下げることはできない。横編機が編地を歯口で押し下げるシンカ機構などを備えていれば、このようなチューブ状編地の編成を円滑に行うことができる。
【００５１】
チューブ状編地の編成が終了すると、コースｒ６では、前針床の編針Ｄ、Ｈ、Ｌに係止している終端の編目を、後針床の編針ｄ、ｈ、ｌに目移しする。コースｒ７は、編み出し部分の掛け目４５ｏ、４５ｉが前針床に、筒状編地の最終コースの編目４６ｏ、４６ｉが後針床に、それぞれ係止されている状態を示す。この後、前針床の編針Ｃ、Ｇ、Ｋに係止される掛け目４５ｉと後針床の編針ｄ、ｈ、ｌに係止されている編目４６ｉとの間の伏目処理で、内側の編地を接合する。前針床の編針Ａ、Ｅ、Ｉに係止される掛け目４５ｏと後針床の編針ｂ、ｆ、ｊに係止されている編目４６ｏとの間の伏目処理で、外側の編地を接合する。
【００５２】
図８、図９および図１０は、図５に示すようなチェーン状編地３０を編成する手順の一例を概略的に示す。コース１〜コース５の各コースは、図７のコースｒ１〜コースｒ５の各コースにそれぞれ対応する。
【００５３】
ただし、第一のリング状編地４０については、図８の編針Ｊ〜Ｕ；ｊ〜ｕが図７の編針Ａ〜Ｌ；ａ〜ｌにそれぞれ対応する。第二のリング状編地５０については、図８の編針Ｖ〜ＧＧ；ｖ〜ｇｇが図７の編針Ａ〜Ｌ；ａ〜ｌにそれぞれ対応する。すなわち、図８のコース１では、第一のリング状編地４０編み出し部分４１の外側４１ｏを編針Ｊ、ｋ、Ｎ、ｏ、Ｒ、ｓに、第二のリング状編地５０の編み出し部分５１の外側５１ｏを編針Ｖ、ｗ、Ｚ、ａａ、ＤＤ、ｅｅに、図７の編針Ａ、ｂ、Ｅ、ｆ、Ｉ、ｊと同様に、それぞれジグザグ状に形成する。コース２では、編み出し部分４１，５１の内側４１ｉ，５１ｉを、編針Ｌ、ｍ、Ｐ、ｑ、Ｔ、ｕ；Ｘ、ｙ、ＢＢ、ｃｃ、ＦＦ、ｇｇに、図７の編針Ｃ、ｄ、Ｇ、ｆ、Ｉ、ｊと同様に、それぞれジグザグ状に形成する。コース３では、編み出し部分４１，５１の外側４１ｏ，５１ｏのうち、後針床の編針ｍ，ｑ，ｕ；ｙ，ｃｃ，ｇｇで係止している掛け目を前針床の編針Ｍ，Ｑ，Ｕ；Ｙ，ＣＣ，ＧＧに目移しする。
【００５４】
コース４では、編み出し部分４１，５１のうちの外側４１ｏ，５１ｏとしてコース１で形成した掛け目のうち、後針床の編針ｋ，ｏ，ｓ；ｗ，ａａ，ｅｅに係止する掛け目に続けて、筒状編地４３，５３のうちの外側４３ｏ，５３ｏの編目を形成する。編み出し部分４１，５１の外側４１ｏ，５１ｏのうち前針床の編針Ｊ，Ｎ，Ｒ；Ｖ，Ｚ，ＤＤに係止する掛け目４５ｏ，５５ｏは残される。コース５では、編み出し部分４１，５１のうちの内側４１ｉ，５１ｉとしてコース２で後針床の編針ｍ、ｑ、ｕ；ｙ、ｃｃ、ｇｇに形成し、コース３で前針床の編針Ｍ，Ｑ，Ｕ；Ｙ，ＣＣ，ＧＧに目移しして係止する掛け目に続けて、筒状編地４３，５３のうちの内側４３ｉ，５３ｉの編目を形成する。編み出し部分４１，５１の内側４１ｉ，５１ｉで前針床の編針Ｌ，Ｐ，Ｔ；Ｘ，ＢＢ，ＦＦに係止する掛け目４５ｉ，５５ｉは残される。以下、コース４，５を必要なコース数だけ繰返し、筒状編地４３，５３を周回編成で形成する。なお、コース４を繰返す際には、筒状編地４３では、前針床の編針Ｕから後針床の編針ｓに編糸が移ってから、さらに編針ｏ、ｋに編糸が供給される。また、筒状編地５３では、前針床の編針ＧＧから後針床の編針ｅｅに編糸が移ってから、さらに編針ａａ、ｗに編糸が供給される。
【００５５】
コース６は、筒状編地４３，５３を必要なコース数だけ編成し、目移しで、終端の編目４６，５６を、第一のリング状編地４０では後針床、第二のリング状編地５０では前針床にそれぞれ移動させた状態を示す。コース７は、ラッキングによって、後針床を前針床に対して右に１１針分だけ振り、第二のリング状編地５０の終端の編目５５を後針床に目移しで移動させた状態を示す。
【００５６】
図９のコース８は、ラッキングによって、後針床を前針床に対して、左に１３針分だけ振り、第二のリング状編地５０の終端の編目５６を、前針床に目移しして移動させた状態を示す。終端の編目５６は、コース７で後針床に移動する前の状態から、合計２４針分だけ左に移動している。コース９は、後針床をＬ0Ｐの基準位置に戻す。第一のリング状編地４０の編み出し部分４１の掛け目４５と筒状編地４３の終端の編目４６とは、前後の針床にそれぞれ係止され、コース６で目移しを行う直前の位置関係に戻る。ただし、第二のリング状編地５０との交差が伴われている。
【００５７】
コース１０では、第一のリング状編地４０で編み出し部分４１の掛け目４５と筒状編地４３の終端の編目４６との間で伏目部分４４を形成する伏目処理を行い、チューブ状編地の始端と終端とを接合する。この伏目処理は、種々の手法が知られている。また、実際の伏目処理には、複数の行程が必要となるけれども、簡略化して示す。伏目処理で第一のリング状編地４０が形成されると、コース１１として示すように、針床から離脱して歯口に落下する。
【００５８】
コース１２では、コース１０で伏目処理を行ったスペースに、第三のリング状編地６０の編み出し部分６１の外側６１ｏを形成する。コース１３では、編み出し部分６１の内側６１ｉを形成する。コース１４では、編み出し部分６１の内側６１ｉのうち、後針床の編針ｍ，ｑ，ｕに係止されている掛け目を、前針床の編針Ｍ，Ｑ，Ｕに目移しする。
【００５９】
図１０のコース１５では、後針床の編針ｋ，ｏ，ｓに残る編み出し部分６１の外側６１ｏの掛け目に続いて、筒状編地６３の外側６３ｏの編目を形成する。編み出し部分６１の外側６１ｏで前針床の編針Ｊ，Ｎ，Ｒに係止する掛け目６５ｏは残される。コース１６では、編み出し部分６１のうちの内側６１ｉで、前針床の編針Ｍ，Ｑ，Ｕに係止する掛け目に続けて、筒状編地６３のうちの内側６３ｉの編目を形成する。編み出し部分６１の内側６１ｉで前針床の編針Ｌ，Ｐ，Ｔに係止する掛け目６５ｉは残される。以下、コース１５，１６を必要なコース数だけ繰返し、筒状編地６３を周回編成で形成する。なお、コース１５を繰返す際には、筒状編地６３として、前針床の編針Ｍから後針床の編針ｋに編糸が移ってから、編針ｋ、ｏ、ｓに編糸が供給される。
【００６０】
コース１７では、目移しで、第三のリング状編地６０の終端の編目６６を後針床に移動させる。コース１８では、ラッキングによって、後針床を前針床に対して１３針分だけ左に振り、第二のリング状編地５０の終端の編目５６を前針床から後針床に目移しで移動させる。コース１９では、ラッキングによって、後針床を前針床に対して１１針分だけ右に振る。コース１９は、コース１８での位置関係よりも、後針床が前針床に対し、合計２４針分だけ右に移動している。ラッキングの後、第二のリング状編地５０の終端の編目５６は、後針床から前針床に目移しで移り、後針床には、第三のリング状編地６０の終端の編目６６が残る。コース２０では、後針床を前針床に対する基準位置Ｌ0Ｐに戻し、前針床から第二のリング状編地５０の終端の編目５６を後針床に目移しで戻す。前針床には、第二のリング状編地５０の編み出し部分５１の掛け目５５が残っているので、掛け目５５と終端の編目５６との間に伏目部分５４を形成する伏目処理を行い、チューブ状に形成される筒状編地５３を軸線方向の両端で接合する。同様に、コース２１で、第三のリング状編地６０の掛け目６５と終端の編目６６との間で伏目処理を行い、伏目部分６４を形成する。
【００６１】
コース１からコース２１までで、第一のリング状編地４０、第二のリング状編地５０および第三のリング状編地６０が交互に交差して、三つのリング状編地４０，５０，６０によるチェーン状編地３０が形成される。コース２０とコース２１との間に、たとえば第四のリング状編地７０を形成する手順を入れれば、図５に示すような四つのリング状編地４０，５０，６０，７０が連なるチェーン状編地３０を得ることができる。
【００６２】
なお、編み出し部分４１，５１，６１の掛け目４５，５５，６５を前針床に残し、周回編成は前後の針床を使用し、伏目処理は、筒状編地４３，５３，６３の終端の編目４６，５６，６６を後針床に目移ししてから行うようにしているけれども、前針床と後針床とは、逆にすることもできる。また、筒状編地４３，５３，６３ではなく、図１および図３に示すような単一の編地でも、前後一方の針床に編み出し部分の一部を係止しておき、前後他方の針床で必要なコース数の編地を編成してから、終端を編み出し部分と伏目処理で接合するようにしてもよい。また、筒状編地４３，５３，６３は、周回編成ばかりではなく、たとえば前後の針床で異なる給糸口を使用し、編幅の両端で編地を連結しながら、各針床でそれぞれ編地を編成して、チューブ状の編地を形成し、軸線方向の両端を接合してリング状編地を形成することもできる。
【００６３】
図５に示すようなチェーン状編地３０は、衣類などの編地の付属編地として、装飾などに利用することができる。また、バッグや袋などの取っ手として利用することもできる。また、チェーン状編地３０自体でも、身体に装着する飾りなどとして利用することができる。
【００６４】
また、上記した各実施例では、二枚ベッドの横編機を用いてリング状編地を編成するようにしているが、上部前針床、下部前針床、上部後針床、そして下部後針床からなる四枚ベッドの横編機を用いて編成することもできる。四枚ベッドの横編機を用いる場合には、例えば、下部前針床に前側編地を付属させ、下部後針床に後側編地を付属させる。そして、上部後針床を、前側編地を編成する際の空針として前側編地の目移しや、裏目の形成等に用い、上部前針床を、後側編地を編成する際の空針として後側編地の目移しや、裏目の形成等に用いる。
【００６５】
さらにまた、チェーン状に形成される各リング状編地の大きさは、編幅、リングの大きさについて、必ずしも同一のものにする必要は無く、異なる大きさにして組み合せても良い。
【図面の簡単な説明】
【００６６】
【図１】第一実施例のチェーン状編地１０の外観構成を示す斜視図である。
【図２】第一実施例の概略的な編成工程図である。
【図３】第二実施例のチェーン状編地２０の外観構成を示す斜視図である。
【図４】第二実施例の概略的な編成工程図である。
【図５】第三実施例のチェーン状編地３０の外観構成を示す斜視図である。
【図６】図５に示す第一のリング状編地４０の概略的な構成、および編成途中の状態を示す斜視図である。
【図７】図６に示す第一のリング状編地４０を無縫製で形成する概略的な編成手順を示す図である。
【図８】図５に示すチェーン状編地３０の概略的な編成手順の前部分を簡略化して示す図である。
【図９】図５に示すチェーン状編地３０の概略的な編成手順の中部分を簡略化して示す図である。
【図１０】図５に示すチェーン状編地３０の概略的な編成手順の後部分を簡略化して示す図である。
【符号の説明】
【００６７】
１、１１、２１、４１、５１、６１  編み出し部分
２、１２、２２、４４、５４、６４  伏目部分
３、４、７、４０、５０、６０  リング状編地
５、１５、２５      前編地
６、１６、２６      後編地
１０、２０、３０    チェーン状編地
４３、５３、６３    筒状編地
【図１】
2008179929.tif 000003
【図２】
2008179929.tif 000004
【図３】
2008179929.tif 000005
【図４】
2008179929.tif 000006
【図５】
2008179929.tif 000007
【図６】
2008179929.tif 000008
【図７】
2008179929.tif 000009
【図８】
2008179929.tif 000010
【図９】
2008179929.tif 000011
【図１０】
2008179929.tif 000012